(57)【特許請求の範囲】
【請求項１】
モーターを内蔵し、前部に吸気口を形成した電気掃除機本体と、この吸気口に接続パイプによって接続するホースと、このホースに延長パイプを介して連結される床ノズルとを具備し、前記床ノズル、あるいは延長パイプに係合部Ａを配設するとともに、前記係合部Ａと係合する係合部Ｂを前記吸気口を形成する前部カバーあるいは前記接続パイプの前記吸気口近傍に配設し、前記係合部Ａと係合部Ｂとが前記電気掃除機本体が水平の状態において係合する電気掃除機。
【請求項２】
係合部Ｂを形成した支持体を、前部カバーあるいは接続パイプと着脱可能に配設した請求項１記載の電気掃除機。
【請求項３】
モーターを内蔵し、前部に吸気口を形成した電気掃除機本体と、この吸気口に接続パイプによって接続するホースと、このホースに延長パイプを介して連結される床ノズルとを具備し、前記床ノズル、あるいは延長パイプに係合部Ａ、Ａ’の２つの係合部を配設するとともに、前記係合部Ａ、Ａ’にそれぞれ係合する係合部Ｂ、Ｂ’を、前記吸気口を形成する前部カバーと前記接続パイプにそれぞれ配設し、前記係合部Ａ、Ａ’と係合部Ｂ、Ｂ’とが前記電気掃除機本体が水平の状態において係合する電気掃除機。
【請求項４】
係合部Ｂを、電気掃除機本体を前方から見て左側に配設した請求項１〜３のいずれか１項に記載の電気掃除機。
【請求項５】
吸気口を、電気掃除機本体の前方斜め上方に配設した請求項１〜４のいずれか１項に記載の電気掃除機。
【発明の詳細な説明】
【０００１】
【産業上の利用分野】
本発明は、電気掃除機本体にホース、延長パイプ、床ノズルなどを連結した状態で収納できる電気掃除機に関するものである。
【０００２】
【従来の技術】
従来、この種の電気掃除機は、特公平４−４６８３号公報等に示されているような構成が一般的であった。
【０００３】
以下、図１０に従ってその構成について説明する。
【０００４】
１は集塵室２、モーター３などを配設した電気掃除機本体（以下、本体という）である。４は本体１の集塵室２前方に設けられた吸気口であり、ホース５の接続パイプ６を接続する。前記ホース５の先端には使用者が握るハンドル７が構成され、その先には延長パイプ８が接続され、さらに延長パイプ８の先には床ノズルパイプ９を介して床ノズル１０が接続される。また集塵室２の上部には開閉可能な蓋１１を配設し、モーター３を配設した本体１の後部上方を覆った本体上１’に回動自在に取り付けられている。本体１の後部には、レスト部１２と左右には移動用のローラー１３が設けられ、本体１を直立収納し得る構造にしている。さらに、延長パイプ８は、凸形状を有する係合部Ａ１４を設けることによって、本体１に設けた凹形状を有した係合部Ｂ１５に係止して収納できるようにしている。
【０００５】
また、最近ではより簡易的に収納する形態として本体１を立てないで収納する構成があり、図１１に示すように本体上１’の側部や後部に凹形状を有した係合部Ｂ１５を配設して床ノズルパイプ９に配設した凸形状を有した係合部Ａ１４を係止して収納でき得る構成を取っていた。
【０００６】
【発明が解決しようとする課題】
しかしながら上記した図１１に示すような本体１を立てないで収納する構造においては、以下に述べる問題点があった。
【０００７】
１）図１２、図１３に示すように係合部Ｂ１５を本体上１’の側部や後部に配設した場合、本体１の長さをＬ１、床ノズル１０の長さをＬ２、接続パイプ６の長さをＬ３とし、本体１の幅をＷ１、床ノズル１０の幅をＷ２とした場合に収納した状態で必要とする投影面積が、（Ｌ１＋Ｌ３）×Ｗ１＋Ｌ２×Ｌ２となり、床ノズル１０の投影面積だけ多く必要になるため、大きな収納スぺースを必要とする。
【０００８】
２）床ノズル１０の収納部である係合部Ｂ１５が本体１の側部や後部であるため、収納する際に床ノズル１０を本体１の側部や後部まで移動する手間が必要であり、使い勝手が悪い。
【０００９】
３）収納するための係合部Ａ１４、係合部Ｂ１５が床ノズルパイプ９、本体１の側部あるいは後部にそれぞれ配設されているために本体１と延長パイプ８や床ノズル１０などの付属品とを一対で揃えなければこの収納形態を取ることができない。したがって、ほかの本体１にこの構成を用いるためには、係合部Ｂ１５を配設した本体１を新たに作る必要があった。
【００１０】
４）本体１の外観に凹形状を有した係合部Ｂ１５を配設する必要があるため、外観デザインを損なう。
【００１１】
５）収納時の支持部である係合部Ａ１４と係合部Ｂ１５との係合部分が低い位置にあるため、ホース５のハンドル７までの距離Ｌが非常に長く収納時の安定性が悪く、ハンドル７に力がかかったときに係合部Ａ１４、係合部Ｂ１５が壊れやすく、係合部Ｂが壊れたときには本体上１’を交換しなければならないため、交換に手間がかかるとともに部品代が高価となる。
【００１２】
６）本体１の後部に係合部Ｂ１５を配設した場合、排気を排出する排気面積を損なうため、排気の圧損となり性能の低下を引き起こす、また排気が本体１内にこもりやすく、電動送風機３に負荷がかかり加熱する危険があった。
【００１３】
７）下方に凸形状を有した係合部Ａが床面に近い位置にあるため、掃除中に床面に傷を付ける恐れがある。
【００１４】
このように従来の構成では、収納スぺースが大きくなる、使い勝手が悪く、他機種に展開しにくい、外観デザインを損なうなどのいろいろな問題点を有していた。
【００１５】
本発明はこのような問題点を解決するものであり、収納スぺースの小型化、使用性の向上、容易かつ安価に他の本体にもこの収納構成を展開できるようにし、また外観デザインの向上などを図った電気掃除機を提供することを目的としている。
【００１６】
【課題を解決するための手段】
上記目的を達成するための第１の技術的手段は、前部に吸気口を形成した前部カバーが取り付けられた本体とこの吸気口に接続パイプによって接続するホースと、このホースに延長パイプを介して連結される床ノズルとを具備し、前記床ノズル、あるいは延長パイプに凸形状、あるいは凹形状に形成した係合部Ａを配設し、前記係合部Ａと係合する形状に形成した係合部Ｂを本体の吸気口を形成する前部カバーに配設し、前記係合部Ａと係合部Ｂは本体が水平の状態において係合するように配設するものである。
【００１７】
あるいは、床ノズルあるいは延長パイプに配設した係合部Ａと係合する係合部Ｂを本体前部に形成された吸気口に連結されるホースの接続パイプの前記吸気口近傍に配設したものである。
【００１８】
第２の技術的手段は、床ノズルあるいは延長パイプに配設した係合部Ａと係合する係合部Ｂを本体前部に形成された吸気口に連結されるホースの接続パイプおよび／または本体の吸気口を形成する前部カバーに配設し、前記係合部Ｂは本体を前方から見て左側に配設したものである。
【００１９】
第３の技術的手段は、ホースの接続パイプを連結する吸気口を本体の前方斜め上方に配設し、係合部Ｂを前部カバーおよび／または接続パイプに配設するものである。
【００２０】
【作用】
上記構成による作用は次のようになる。
【００２１】
第１の技術的手段によれば、係合部Ｂを接続パイプを接続する吸気口を形成する前部カバーに配設することにより、収納時に床ノズルが接続パイプの下に位置して収納スぺースの小型化が図れるものである。また収納位置が使用時の床ノズルの位置から非常に近いため、収納に手間がかからず、また収納状態からすぐに使用でき、使用性の向上も図れるものである。
【００２２】
あるいは、係合部Ｂはホースの接続パイプの吸気口近傍に配設することにより、他のデザイン本体にも容易にこの収納構成を用いることができるとともに本体に係合部Ｂを配設する必要がなく本体デザインを損なうこともない。
【００２３】
第２の技術的手段によると、係合部Ｂを接続パイプおよび／または本体の吸気口を形成する前部カバーに本体の前方から見て左側に配設することにより、比率的に多い右利きにとって接続パイプの着脱時に係合部Ｂが手に当たりにくくなり、使い勝手の向上が図れる。
【００２４】
第３の技術的手段によると、ホースの接続パイプを連結する吸気口を本体の前部斜め上方に配設して、前部カバーおよび／または接続パイプに係合部Ｂを配設したことにより、係合部Ｂの配設位置が床面から高い位置となって保持部分が高い位置となり、収納時の安定性が向上するとともに係合部Ａの配設位置も高くなることによって係合部Ａによる床面への傷つきがしにくくなるものである。
【００２５】
【実施例】
以下、本発明の一実施例を添付図面にもとづいて説明する。
【００２６】
図１において、２１は前側に上方開口状の集塵室２２を形成し、後方には塵埃吸引用のモーター２３などを組み込んだ電気掃除機本体（以下本体という）で、前記集塵室２２の上方開口を覆うように蓋体２４が本体２１に回動自在に配設されている。本体２１の前部にはホース２５の接続パイプ２６が取着される吸気口２７を形成した前部カバー２８が取り付けられており、ホース２５の先端にはハンドル２９が形成され、床ノズル３０が床ノズルパイプ３１と延長パイプ３２を介して取り付けられている。前記本体２１には下面に移動用のキャスター（図示せず）、側面にローラー３３をそれぞれ配設している。また、床ノズルパイプ３１の後方には下方に凸形状を有した係合部Ａ３４が取り付けられており、本体２１前部に取り付けられた前部カバー２８の前面に前記係合部Ａ３４が係合する凹形状を有した係合部Ｂ３５を配設している。
【００２７】
上記構成における作用は次のようになるものである。
【００２８】
掃除を終えて収納状態にするときには、床ノズルパイプ３１の後方に配設した係合部Ａ３４を本体２１前部に取り付けられた前部カバー２８に形成した係合部Ｂ３５に挿入して係合させ、本体２１にホース２５、延長パイプ３２、床ノズル３０を接続した状態で収納するものである。このとき、図２に示すように床ノズル３０が接続パイプ２６の下方に位置しており、床ノズル３０の投影面積の一部（Ｌ２×Ｗ４）が本体２１と接続パイプ２６の投影面積（（Ｌ１＋Ｌ３）×Ｗ１）に付加されるだけであり収納状態での投影面積が（Ｌ１＋Ｌ３）×Ｗ１＋Ｌ２×Ｗ４より小さくなるものである。また、使用中での床ノズル３０の位置より本体２１で一番近い位置である本体２１前部に係合部Ｂ３５を配設しているため、収納する時に床ノズル３０の移動が少なく、さらには収納状態からすぐに使え、使い勝手が向上する。
【００２９】
この発明の第２の実施例としては、図３に示すように係合部Ｂ３５を形成した支持体３６を前部カバー２８にねじ３７によって着脱自在に配設されている。
【００３０】
これにより、係合部Ｂ３５が壊れても前部カバー２８からねじ３７を外して支持体３６を交換するだけでよく、交換が容易でしかも安価に行なえるものである。
【００３１】
また、図４に示すように、本体２１前部に形成された吸気口２７に接続される接続パイプ２６に係合部Ｂ３５を配設しても良い。
【００３２】
これにより、床ノズルパイプ３１に取り付けた係合部Ａ３４を係合部Ｂ３５に挿入して係合させ、本体２１に収納可能となるが、本体２１の形状にかかわらず収納可能であり、他のデザインの本体にもこのホース２５、延長パイプ３２、床ノズル３０を取り付けることによりこの収納形態が可能となるものである。また本体２１に係合部Ｂ３５を形成する必要がないため、本体２１のデザイン、外観を損なうことがなく、デザイン性の向上、外観品質の向上が図れるものである。
【００３３】
また、図５に示すように、係合部Ｂ３５を形成した支持体３６を接続パイプ２６にねじ３７によって着脱自在に配設することもできる。
【００３４】
これにより、係合部Ｂ３５が壊れても接続パイプ２６からねじ３７を外して支持体３６を交換するだけでよく、交換が容易でしかも安価に行なえるものである。
【００３５】
また、接続パイプ２６に係合部Ｂ３５を取り付けるだけでこの収納形態が構成できるため、本体２１デザインにかかわらずすべての本体に容易に構成できる。
【００３６】
さらには、同じ本体２１を使用した場合においても、支持体３６の有無により、この収納形態の有り無しで商品の付加価値に差をもたすことができる。
【００３７】
しかも、係合部Ｂ３５が使用時などに邪魔になるときには、支持体３６を使用者が簡単に取り外すことができ、家具を傷つけることもなく、また、収納するときには支持体３６を取り付けて収納でき、使用者の選択性を拡大し、使用性の向上が図れる。
【００３８】
また、延長管３２、あるいは床ノズル３０に取着可能とした係合部Ａ３４を別体とし、係合部Ｂ３５を構成した支持体３６を単品売りにしてこれを使用者が購入すれば、使用者が使っている本体２１にもこの収納形態が構成できることとなり、使用者にとって非常に安価に本収納形態が構成できるものである。
【００３９】
また、図６に示すように、床ノズルパイプ３１の後部と側部に下方に凸形状を有する係合部Ａ３４、係合部Ａ’３４’を配設し、この係合部Ａ３４、係合部Ａ’３４’と係合する係合部Ｂ３５、係合部Ｂ’３５’を前部カバー２８、接続パイプ２６にそれぞれ配設している。
【００４０】
これにより、収納するときに係合部Ａ３４と係合部Ｂ３５、係合部Ａ’３４’と係合部Ｂ’３５’がそれぞれ係合して保持することとなり、２点支持で収納が行なえ、安定性が増すものである。
【００４１】
また、図７に示すように、係合部Ｂ３５を接続パイプ２６の本体２１の前方から見て左側に配設しても良い。
【００４２】
これにより、ホース２５を本体２１に着脱するときには、接続パイプ２６を握って行なうがこのとき係合部Ｂ３５が本体２１の前方から見て左側に配設されていることにより、比率的に多い右利きにとって接続パイプ２６は右手で握るため図８に示すように係合部Ｂ３５に指が当たりにくく、使い勝手が向上するものである。
【００４３】
さらに、図９に示すように、吸気口２７を本体２１の前方斜め上方に配設し、吸気口２７を配設した前部カバー２８に係合部Ｂ３５を配設し延長パイプ３２の前記係合部Ｂ３５の相対位置に係合部Ａ３４を配設している。
【００４４】
これにより、収納時における係合部Ａ３４と係合部Ｂ３５とが係合する位置が高くなり、収納時の安定性が向上する。
【００４５】
また、係合部Ａ３４の位置が高い位置にあり、掃除中に床面を傷つけにくくなるものである。
【００４６】
すなわち、係合部Ｂを本体前部の接続パイプを接続する吸気口を形成する前部カバーに配設することにより、収納時に床ノズルが接続パイプの下に位置して収納スぺースの小型化が図れるものであり、収納位置が使用時の床ノズルの位置から非常に近いため、収納に手間がかからず、また収納状態からすぐに使用でき、使用性の向上も図れるものである。
【００４７】
また、このホースと床ノズルを使用することにより本体の形状に関係なく他のデザイン本体にも容易かつ安価にこの収納構成を用いることができるとともに、本体に係合部Ｂを配設する必要がなく本体デザインを損なうこともない。
【００４８】
また、係合部Ｂは接続パイプおよび／または本体の吸気口を形成する前部カバーに本体の前方から見て左側に配設することにより、比率的に多い右利きにとって接続パイプの着脱時に係合部Ｂが手に当たりにくくなり、安全性、使い勝手の向上が図れるものである。
【００４９】
さらに、ホースの接続パイプを連結する吸気口を本体の前部斜め上方に配設して、前部カバーおよび／または接続パイプに係合部Ｂを配設したことにより、係合部Ｂの配設位置が床面から高い位置となり収納時の保持部分が高い位置となり、ハンドルとの距離が短くなり、係合部Ａと係合部Ｂへ大きな力がかかりにくく、係合部Ａおよび係合部Ｂが破損しにくいとともに収納時の安定性が向上し、収納性、使用性の向上が図れる。さらには、係合部Ａの配設位置も高くなることによって係合部Ａによる床面への傷つきがしにくくなり使用性の向上が図れるものである。
【００５０】
【発明の効果】
本発明は以上説明したような構成により、以下に示すような大きな効果を奏するものである。
【００５１】
収納スぺースの小型化、使用性の向上、容易かつ安価に他の本体にもこの収納構成を展開できるようにし、また外観デザインの向上などを実現できる。
【図面の簡単な説明】
【図１】本発明の一実施例を示した電気掃除機の斜視図
【図２】同電気掃除機における床ノズル収納時の平面図
【図３】同電気掃除機における他の変形例を示す要部斜視図
【図４】本発明の他の実施例を示した電気掃除機の斜視図
【図５】同電気掃除機における要部の分解斜視図
【図６】本発明の他の実施例を示した電気掃除機の斜視図
【図７】同電気掃除機の斜視図
【図８】本発明の他の実施例における電気掃除機の要部側面図
【図９】本発明の別の実施例を示した電気掃除機の側面図
【図１０】従来の電気掃除機における床ノズルの収納状態の側面図
【図１１】同電気掃除機の斜視図
【図１２】同電気掃除機の平面図
【図１３】同電気掃除機の他の平面図
【符号の説明】
２１  電気掃除機本体
２５  ホース
２６  接続パイプ
２７  吸気口
２８  前部カバー
３０  床ノズル
３２  延長パイプ
３４  係合部Ａ
３４’係合部Ａ’
３５  係合部Ｂ
３５’係合部Ｂ’
【図１】
0003572663.tif 000002
【図２】
0003572663.tif 000003
【図３】
0003572663.tif 000004
【図４】
0003572663.tif 000005
【図５】
0003572663.tif 000006
【図６】
0003572663.tif 000007
【図７】
0003572663.tif 000008
【図８】
0003572663.tif 000009
【図９】
0003572663.tif 000010
【図１０】
0003572663.tif 000011
【図１１】
0003572663.tif 000012
【図１２】
0003572663.tif 000013
【図１３】
0003572663.tif 000014